(57)【要約】      （修正有）【課題】爪の面取りを効果的に行うことができる爪研ぎ機能をもたせた穴を付けた爪切りを提供する。【解決手段】爪切り本体と支点で繋がれたレバーに対し、本体の末端部もしくはレバーの末端部に直径４〜８ミリの鋭利状の穴を開ける。鋭利状の穴は、本体の面に対して、又はレバーの面に対して、直角に開ける。穴はどちらか１個だけでも良いし、本体とレバーに１個づつ計２個となっても良いし、２個以上となっても良い。【選択図】図１
0003209136.tif 000002
【実用新案登録請求の範囲】
【請求項１】
従来品の爪切り本体（１）と支点（２）で繋がれたレバー（３）に対し、本体（１）の末端部もしくはレバー（３）の末端部に直径４〜８ミリの鋭利状の穴（４）を開けておくことにより、その穴（４）を使って、爪切り後の爪研ぎや、爪の面取りを面倒がらずに効率的に行う事ができる爪研ぎ用の穴（４）を設けたこと特徴とする爪切り。
【請求項２】
鋭利状の穴（４）は、本体（１）の面に対して、又はレバー（３）の面に対して、直角に開けていなければならない。［図４］参照。その穴（４）はどちらか１個だけでも良いし、本体（１）とレバー（３）に１個づつ計２個となっても良いし、複数個となっても良い。
【請求項３】
穴（４）の数が複数個の場合は、サイズの違う穴（４）とすることが好ましい。
【考案の詳細な説明】
【技術分野】
【０００１】  本考案は、爪研ぎ機能をもたせた穴を、爪切り本体に付けた、又はレバーに付けた爪切りに関するものである。
【背景技術】
【０００２】  従来、爪切り後の爪研ぎ又は面取りは、爪切りのレバーの裏側が細かくギザギザになっていたり、やすり状になっていたりして、穴状にしたものが、爪研ぎ又は面取りの役目を果たすものはなかった。
従来の爪切りには穴がついたものもあるにはあるが、その穴は、爪研ぎ又は面取りを目的としたものではなかった。その穴は、メッキがしてあるためか角が丸まっていて、爪に引っかからず、爪研ぎ又は面取りができない穴であり、どこかに引っ掛けるか繋げるかを目的とした穴でしかなかった。偶発的に爪に引っかかる状態の穴である場合もあるが、商品として、爪研ぎ又は面取りを目的としていなかった。
【考案の概要】
【考案が解決しようとする課題】
【０００３】  それは次のような問題点があった。
（イ）従来品はレバーの裏面がやすりになっていたため板面状で、使用時には、その動        かし方が、時計の文字盤で説明すると、２時８時の方向で動かしたり、３時９時        で動かしたり、４時１０時で動かしたりして、爪の曲面に対して板面状のやすり        は何度も持ち替える必要性があり面倒であった。
（ロ）従来品のレバーの裏面やすりは、細かすぎるせいか理由は定かでないが、すぐに        削り機能が鈍くなってしまっていた。
（ハ）従来品のレバーの裏面やすりは、縦長方向に動かすので、動きが大きくなる傾向        にあった。
本考案は、以上の問題点を解決するために考案されたものである。
【課題を解決するための手段】
【０００４】  従来品の爪切り本体（１）と支点（２）で繋がれたレバー（３）に対し、本体（１）の末端部もしくはレバー（３）の末端部に直径４〜８ミリの鋭利状の穴（４）を開けておく。鋭利状の穴（４）とは、本体（１）の面に対して、又はレバー（３）の面に対して、直角に開けていなければならない。［図４］参照。穴（４）はどちらか１個だけでも良いし、本体（１）とレバー（３）に１個づつ計２個となっても良いし、２個づつ計４個となっても良い。
【考案の効果】
【０００５】  爪研ぎ用の穴（４）を爪切り本体（１）又は、レバー（３）に設けることで、その穴（４）を使って、爪切り後の爪研ぎや、爪の面取りを面倒がらずに効率的に行う事ができ、従来のやすり状になった物よりも、削りの機能低下が少なく長持ちするため、わずらわしい思いをする事が無くなり、きれいに、丁寧に爪を整備する事ができ、爪による引っかき傷を減らす事ができ、爪切り直後でも爪の滑らかさを理想的な状態に保つ事ができる。
【図面の簡単な説明】
【０００６】
【図１】本考案の斜視図
【図２】本考案の使用時の斜視図（本体（１）の穴の場合）
【図３】本考案の使用時の斜視図（レバー（３）の穴の場合）
【図４】本考案の穴（４）部の断面図（良い例と悪い例）
【考案を実施するための形態】
【０００７】  以下、本考案の実施の形態について説明する。
（イ）従来品の爪切り本体（１）と支点（２）で繋がれたレバー（３）に対し、本体（        １）の末端部もしくはレバー（３）の末端部に直径４〜８ミリの鋭利状の穴（４        ）を設ける。
（ロ）鋭利状の穴（４）は、本体（１）の面に対して、又はレバー（３）の面に対して        、直角に開ける。［図４］参照。
（ハ）穴（４）はどちらか１個だけでも良いし、本体（１）とレバー（３）に１個づつ        計２個となっても良いし、２個以上となっても良い。
（ニ）穴（４）のサイズは、爪の幅の２分の１程度が理想なので、２種類以上の穴（４        ）があることが好ましい。
ましい。
本考案は以上のような構造でこれを使用するときは、本体（１）又はレバー（３）を片手で握り、穴（４）を爪に軽く押し当てて、爪の曲線に穴（４）の内側が接する状態を保ちながら、握った手首を返して戻して返して戻してを繰り返して、爪の曲線部を穴（４）が往復する動作をする事により、爪の角張った部分の面取りをして、滑らかにする。
【実施例１】
【０００８】  図１に示すように、従来品の爪切り本体（１）と支点（２）で繋がれたレバー（３）に対し、本体（１）の末端部もしくはレバー（３）の末端部に直径４〜８ミリの鋭利状の穴（４）を開けておく。
図２・３に示すように、これを使用するときは、本体（１）又はレバー（３）を片手で握り、穴（４）を爪に軽く押し当てて、爪の曲線に穴（４）の内側が接する状態を保ちながら、握った手首を返して戻して返して戻してを繰り返して、爪の曲線部を穴（４）が往復する動作をする事により、爪の角張った部分の面取りをして、滑らかにする。
穴（４）の数は、１個でも良いが、サイズの違う２種類以上の穴（４）を複数設けることが好ましい。
【符号の説明】
【０００９】      １  爪切り本体
２  支点
３  レバー
４  爪研ぎ用穴
【図１】
0003209136.tif 000003
【図２】
0003209136.tif 000004
【図３】
0003209136.tif 000005
【図４】
0003209136.tif 000006
【手続補正書】
【提出日】平成28年12月11日(2016.12.11)
【手続補正１】
【補正対象書類名】実用新案登録請求の範囲
【補正対象項目名】全文
【補正方法】変更
【補正の内容】
【実用新案登録請求の範囲】
【請求項１】
爪切り本体（１）と支点（２）で繋がれたレバー（３）に対し、本体（１）の末端部もしくはレバー（３）の末端部に直径４〜８ミリの鋭利状の穴（４）を開けておくことにより、その穴（４）を使って、爪切り後の爪研ぎや、爪の面取りを面倒がらずに効率的に行う事ができる爪研ぎ用の穴（４）を設けたこと特徴とする爪切り。
【請求項２】
鋭利状の穴（４）は、本体（１）の面に対して、又はレバー（３）の面に対して、直角に開けてあり、その穴はどちらか１個だけでも良いし、本体（１）とレバー（３）に１個づつ計２個となっても良いし、複数個となっても良いことを特徴とする、請求項１に記載の爪切り。
【請求項３】
穴（４）の数が複数個の場合は、サイズの違う穴（４）とすることを特徴とする、請求項２に記載の爪切り。